(57)【特許請求の範囲】
【請求項１】
表示面と、入力面と、入力面の座標を検出する制御部とを有する表示入力装置であって、入力面の指示座標に対応する表示面に、入力対象座標を指示する指示部と、前記指示部から離れた場所に設けられるとともに、前記指示部の移動操作を行う保持部と、コンピューターへの入力を行う入力選択部と、前記保持部の座標を中心として、前記指示部の位置を回転移動させるか、あるいは、前記保持部と前記指示部の距離を変えるように操作する操舵部とを有するカーソルを備えたことを特徴とする表示入力装置。
【発明の詳細な説明】
【０００１】
【発明の属する技術分野】
本発明は、表示面と同一軸上に重ねられた入力面上を指やペンで触れることにより入力を行なう表示入力装置に関するものである。
【０００２】
【従来の技術】
近年、情報の入出力操作を誰でも簡易に行なうための手段として、タッチパネルを用い表示面と入力面とを同一軸上に重ねた表示入力装置が盛んに開発されている。
【０００３】
以下図面を参照しながら、上記した従来の表示入力装置の入力方法の一例について説明する。図６は従来の表示入力装置の入力部を示すものである。図６において、１１は表示面、１２は入力面、１３は制御部、１４は指示部である。入力面１２としては液晶表示板のような平面表示装置が使用されている。入力面１２は透明なガラス、またはフィルムであり、入力面１２の下にある表示面１１を見ることができる。
【０００４】
入力面１２を指やペンで指示すると、制御部１３がその接触点の座標を求め、表示面１１の同一座標に指示部を表示する。表示面１１の特定座標には、予め特定座標に対応する命令が割り当てられており、この特定座標を指示しながら入力信号を入力すると、コンピューター（図には示していない）に命令が入力、処理され、表示制御装置（図には示していない）を介してその結果が表示面１１に表示される。
【０００５】
利用者は指やペンを希望の位置に移動することで、指示部を希望する位置に移動した後、指示部を押すことによって特定命令をコンピューターに入力していた。
【０００６】
【発明が解決しようとする課題】
しかしながら、図７のように選択したいボタンが小さく、しかも隣接して他のボタンが存在する場合には、利用者の指が図８のように指示部のボタンを覆い隠し、希望のボタンを指示できたかどうか判別し難く、指示間違いを起こしやすいという問題点を有していた。
【０００７】
本発明は上記問題点に鑑み、微細な個所での精密な入力を可能とし、作業効率を向上させる表示入力装置を提供するものである。
【０００８】
【課題を解決するための手段】
上記問題点を解決するために本発明の表示入力装置は、入力指示表示部を、入力対象座標を指示する指示部と、指示部の移動操作を行なう保持部と操舵部を指示部から離れた場所に設けたカーソルによって表示するようにしたものである。これによって、指示部を移動させる保持部と操舵部が指示部とは離れて設けてあるので、保持部や操舵部に置いた指やペンなどによって、指示部が覆い隠されて指示部の位置が不確かになることがない。したがって、正確に希望の座標を指示できる。
【０００９】
【発明の実施の形態】
本発明の請求項１に記載の発明は、表示面と、入力面と、入力面の座標を検出する制御部とを有する表示入力装置であって、入力面の指示座標に対応する表示面に、入力対象座標を指示する指示部と、前記指示部から離れた場所に設けられるとともに、前記指示部の移動操作を行う保持部と、コンピューターへの入力を行う入力選択部と、前記保持部の座標を中心として、前記指示部の位置を回転移動させるか、あるいは、前記保持部と前記指示部の距離を変えるように操作する操舵部とを有するカーソルを備えた表示入力装置である。
【００１０】
この発明によれば、指示部を移動させる保持部と操舵部が指示部とは離れて設けてあるので、保持部や操舵部に置いた指やペンなどによって、指示部が覆い隠されて指示部の位置が不確かになることがない。さらに、コンピューターへの入力を行う入力選択部を保持部の周辺に設けているので、入力操作が容易で確実である。また、保持部のおよその座標を決めた後、操舵部によって指示部の正確な位置を指示することが容易である。したがって、本発明の表示入力装置は、正確に希望の座標を指示できる。
【００１３】
以下本発明の一実施形態の表示入力装置について、図面を参照しながら説明する。
【００１４】
図１は本発明の一実施形態を示すものである。図１において、１は表示面、２は入力面、３は制御部、４は保持部である。図２は保持部近辺を拡大したものである。図２において、５は指示部、６は操舵部、７は右入力選択部、８は左入力選択部である。
【００１５】
以上のように構成された表示入力装置について、その入力操作について説明する。入力面２を指やペンで指示すると、制御部３がその接触点の座標を求め、表示面１の同一座標に保持部４を表示する。同時にその周囲に指示部５、操舵部６、右入力選択部７、左入力選択部８を表示する。
【００１６】
図３は複数のボタンから選択したいボタンのみを指示している様子である。指示部が保持部と独立しているために指で隠れることがなく、利用者は選択すべき位置に指示部があるかどうか確認することができる。
【００１７】
図４は入力画面の端にあるボタンを選択している様子である。指示部５、操舵部６、右入力選択部７、左入力選択部８の表示されている三個所は、指やペンで指示しても座標移動とはみなさず、保持部４の表示座標は移動しない。操舵部６を指示しながら移動すると、指示部５が保持部４の座標を中心として操舵部と点対称の位置へ移動する。例えば、操舵部６を保持部４から遠ざけると指示部５が伸び、入力面の端への指示が容易になる。あるいは、図５のように操舵部６を保持部４を中心として回転させると、指示部５の向きを変える事ができる。
【００１８】
保持部４と操舵部６を操作することによって指示部５を希望するボタンに位置させた後、右入力選択部７または左入力選択部８を指示すると指示部５に対応した命令がコンピューターに入力され、処理結果が制御部３によって処理され、表示面１に処理結果が表示される。
【００１９】
指示部５の指示座標が同一であっても、右入力選択部７と左入力選択部８から入力される命令は異なり、それぞれの入力に応じた結果が、表示面に表示される。なお、右入力選択部７と左入力選択部８は、どちらか一方の選択であり同時に二つの入力を処理させることはできない。
【００２０】
なお、本実施形態では保持部４、入力選択部７、８の形状と位置関係についての一例を示したが、それらが指示部５と独立していれば、形状と位置関係は任意であって良い。
【００２１】
また、本実施形態では操舵部６の動作について説明したが、操舵部６が指示部５の座標を変える機能を有するものであれば、実施例に限定されるものでない。
【００２２】
また、本発明のカーソルは常時表示面に表示されており、保持部を移動させることによって、希望の場所にカーソルを移動できるようにしても良いし、入力完了と同時に表示を消すようにしても良い。後者の場合には、指示面を指示することによって、指示座標にカーソルが再表示されるようにする。
【００２３】
【発明の効果】
以上のように本発明は、入力対象座標を指示する指示部と、指示部の移動操作を行なう保持部と、保持部に対する指示部の方向と距離を操作する操舵部と、座標以外の入力を行なう入力選択部を有し、微細な個所での精密な入力と確実な入力とを可能とする優れた表示入力装置を提供するものである。
【図面の簡単な説明】
【図１】本発明の一実施形態の概要を示す図
【図２】本発明の一実施形態の主要部を示す図
【図３】本発明の一実施形態の操作例を示す図
【図４】本発明の一実施形態の操作例を示す図
【図５】本発明の一実施形態の操作例を示す図
【図６】従来の表示入力装置の概略図
【図７】従来の表示入力装置の操作例を示す図
【図８】従来の表示入力装置の操作例を示す図
【符号の説明】
１  表示面
２  入力面
３  制御部
４  保持部
５  指示部
６  操舵部
７  右入力選択部
８  左入力選択部
【図１】
0003744116.tif 000002
【図２】
0003744116.tif 000003
【図３】
0003744116.tif 000004
【図４】
0003744116.tif 000005
【図５】
0003744116.tif 000006
【図６】
0003744116.tif 000007
【図７】
0003744116.tif 000008
【図８】
0003744116.tif 000009